(57)【要約】【課題】  より確度の高い真贋判定システムを提供する。【解決手段】  真贋判定システム１は、商品に付された識別画像を撮影する撮影部と、前記撮影部により撮影する方向に可視光を照射する光照射部と、前記光照射部により可視光を照射されていない状態で前記撮影部により撮影された第１の識別画像と、前記光照射部により可視光を照射されている状態で前記撮影部により撮影された第２の識別画像とに基づいて、前記商品の真贋を判定する真贋判定部とを有する。【選択図】図１
2020067803.tif 000002
【特許請求の範囲】
【請求項１】
商品に付された識別画像を撮影する撮影部と、
前記撮影部により撮影する方向に可視光を照射する光照射部と、
前記光照射部により可視光を照射されていない状態で前記撮影部により撮影された第１の識別画像と、前記光照射部により可視光を照射されている状態で前記撮影部により撮影された第２の識別画像とに基づいて、前記商品の真贋を判定する真贋判定部と
を有する真贋判定システム。
【請求項２】
前記識別画像は、前記商品の製品情報が掲載されるウェブサイトまたはサーバ上のデータベースヘ接続する二次元コードであり、
前記光照射部により可視光を照射されていない状態で撮影された前記二次元コードに基づいて、前記ウェブサイトまたはサーバ上のデータベースに接続するための情報を読み取る解析部と、
前記光照射部により可視光を照射されている状態で撮影した前記二次元コードの一部が再帰反射しているか否かを判定する再帰反射判定部と
をさらに有し、
前記真贋判定部は、前記解析部により読み取られた情報と、前記再帰反射判定部により判定された結果とに基づいて、前記商品の真贋を判定する
請求項１に記載の真贋判定システム。
【請求項３】
前記識別画像は、前記二次元コードの一部の領域または周辺部に再帰反射性微粒子が埋め込まれている
請求項１に記載の真贋判定システム
【請求項４】
前記第１の識別画像または前記第２の識別画像が撮影された位置情報を収集する位置情報収集部と、
前記位置情報収集部により収集された位置情報と、前記真贋判定部による判定結果とを関連付けて集計する集計部
をさらに有する
請求項１に記載の真贋判定システム。
【請求項５】
前記集計部により集計された、集計結果に基づいて、前記商品を取り扱う店舗の信用度を評価する評価部
をさらに有する
請求項４に記載の真贋判定システム。
【請求項６】
前記第２の識別画像の撮影を促す情報を出力する出力部
をさらに有し、
前記光照射部は、前記出力部により出力された情報に基づいて、可視光を照射する
請求項１に記載の真贋判定システム。
【請求項７】
前記真贋判定部により前記商品の真贋判定されたことに基づいて、前記商品のメーカーに課金する課金部
をさらに有する
請求項１に記載の真贋判定システム。
【請求項８】
電子商取引において、消費者が商品購入後に到着した商品の真贋判定を行い、その判定結果並びに判定過程で得られた情報を集計する集計部
をさらに有し、
前記課金部は、前記集計部による集計結果に基づいて、前記商品のメーカーに課金する
請求項７に記載の真贋判定システム。
【請求項９】
前記再帰反射判定部は、前記第１の識別画像と前記第２の識別画像との色を比較し、色の変化の度合いに基づいて、再帰反射しているか否かを判定し、
前記再帰反射判定部は、一部の領域の色の変化の度合いが既定値以上である場合に、前記商品が真正品であると判定する
請求項２に記載の真贋判定システム。
【請求項１０】
商品に付された識別画像を撮影するステップと、
前記撮影部により撮影する方向に可視光を照射するステップと
可視光を照射して、前記識別画像を撮影した第１の画像と、可視光を照射せずに、前記識別画像を撮影した第２の画像とに基づいて、前記商品の真贋を判定するステップと
を有する真贋判定方法。
【請求項１１】
商品に付された識別画像を、可視光を照射せずに撮影した第１の画像を取得するステップと、
前記識別画像を、可視光を照射して撮影した第２の画像を取得するステップと、
可視光を照射して、前記識別画像を撮影した第１の画像と、可視光を照射せずに、前記識別画像を撮影した第２の画像とに基づいて、前記商品の真贋を判定するステップと
をコンピュータに実行させるプログラム。
【発明の詳細な説明】
【技術分野】
【０００１】
本発明は、真贋判定システム、真贋判定方法、及びプログラムに関するものである。
【背景技術】
【０００２】
例えば、特許文献１では、基材、反射材層、及び球状透明体を含む球状透明体層をこの順で具備する再帰反射性物品であって、前記反射材層が、第１の干渉系パール顔料を含む第１の反射材層と、第１の干渉系パール顔料とは異なる第２の干渉系パール顔料を含む第２の反射材層とが、それらの少なくとも一部で重ならないように存在している、偽造防止用の再帰反射性物品が開示されている。
【先行技術文献】
【特許文献】
【０００３】
【特許文献１】特開２０１７−１１９４０４号公報
【発明の概要】
【発明が解決しようとする課題】
【０００４】
本発明は、より確度の高い商品の真贋判定システムを提供することを目的とする。
【課題を解決するための手段】
【０００５】
本発明に係る真贋判定システムは、商品に付された識別画像を撮影する撮影部と、前記撮影部により撮影する方向に可視光を照射する光照射部と、前記光照射部により可視光を照射されていない状態で前記撮影部により撮影された第１の識別画像と、前記光照射部により可視光を照射されている状態で前記撮影部により撮影された第２の識別画像とに基づいて、前記商品の真贋を判定する真贋判定部とを有する。
【０００６】
好適には、前記識別画像は、前記商品の製品情報が掲載されるウェブサイトまたはサーバ上のデータベースヘ接続する二次元コードであり、前記光照射部により可視光を照射されていない状態で撮影された前記二次元コードに基づいて、前記ウェブサイトまたはサーバ上のデータベースへ接続するための情報を読み取る解析部と、前記光照射部により可視光を照射されている状態で撮影した前記二次元コードの一部が再帰反射しているか否かを判定する再帰反射判定部とをさらに有し、前記真贋判定部は、前記解析部により読み取られた情報と、前記再帰反射判定部により判定された結果とに基づいて、前記商品の真贋を判定する。
【０００７】
好適には、前記識別画像は、前記二次元コードの一部の領域または周辺部分に再帰反射性微粒子が埋め込まれている。
【０００８】
好適には、前記第１の識別画像または前記第２の識別画像が撮影された位置情報を収集する位置情報収集部と、前記位置情報収集部により収集された位置情報と、前記真贋判定部による判定結果とを関連付けて集計する集計部をさらに有する。
【０００９】
好適には、前記集計部により集計された、集計結果に基づいて、前記商品を取り扱う店舗の信用度を評価する評価部をさらに有する。
【００１０】
好適には、前記第２の識別画像の撮影を促す情報を出力する出力部をさらに有し、前記光照射部は、前記出力部により出力された情報に基づいて、可視光を照射する。
【００１１】
好適には、前記真贋判定部により前記商品の真贋判定されたことに基づいて、前記商品のメーカーに課金する課金部をさらに有する。
【００１２】
好適には、電子商取引において、消費者が商品購入後に到着した商品の真贋判定を行い、その判定結果並びに判定過程で得られた情報を集計する集計部をさらに有し、前記課金部は、前記集計部による集計結果に基づいて、前記商品のメーカーに課金する。
【００１３】
好適には、前記再帰反射判定部は、前記第１の識別画像と前記第２の識別画像との色を比較し、色の変化の度合いに基づいて、再帰反射しているか否かを判定し、前記再帰反射判定部は、一部の領域の色の変化の度合いが既定値以上である場合に、前記商品が真正品であると判定する。
【００１４】
本発明に係る真贋判定方法は、商品に付された識別画像を撮影するステップと、前記撮影部により撮影する方向に可視光を照射するステップと可視光を照射して、前記識別画像を撮影した第１の画像と、可視光を照射せずに、前記識別画像を撮影した第２の画像とに基づいて、前記商品の真贋を判定するステップとを有する。
【００１５】
本発明に係るプログラムは、商品に付された識別画像を、可視光を照射せずに撮影した第１の画像を取得するステップと、前記識別画像を、可視光を照射して撮影した第２の画像を取得するステップと、可視光を照射して、前記識別画像を撮影した第１の画像と、可視光を照射せずに、前記識別画像を撮影した第２の画像とに基づいて、前記商品の真贋を判定するステップとをコンピュータに実行させる。
【発明の効果】
【００１６】
本発明によれば、より確度の高い真贋判定を行うことができる。
【図面の簡単な説明】
【００１７】
【図１】真贋判定システム１の全体構成を例示する図である。
【図２】識別画像７を例示する図である。
【図３】ユーザ端末３の機能構成を例示する図である。
【図４】真贋判定装置５の機能構成を例示する図である。
【図５】真贋判定システム１における真贋判定処理（Ｓ１０）を説明するフローチャートである。
【図６】真贋判定システム１におけるマーケティング情報生成処理（Ｓ２０）を説明するフローチャートである。
【図７】真贋判定システム１におけるユーザの操作とユーザ端末３の画面とを例示する図である。
【図８】ホログラムと識別画像７との真贋判定方法の比較を表す図である。
【図９】真贋判定システム１の全体の流れを例示する図である。
【発明を実施するための形態】
【００１８】
例えば、海外からの観光客が日本で購入した商品を、自国において購入しようとする場合、偽造品と真正品とを区別する真贋判定方法があれば、消費者は安心して商品の購入ができる。しかし、真贋を判定する方法の確度が高くなければ、真贋判定の信頼性は低く、意味をなさない。また、メーカーにとっても、既存の二次元コードは、偽造されるおそれがあり、消費者が偽造された二次元コードが付された商品を購入した場合、商品のブランドイメージが損なわれる危険性がある。既存の二次元コード以外にもホログラム、シリアル番号等の真贋判定の方法は存在するが偽造のリスクがある。
そこで、本発明は、偽造難易度の高い二次元コードを提供し、偽造のリスクを低減するとともに、商品に付されたこの二次元コードに基づいて、複数回の真贋判定を行うことにより真贋判定の確度を高めるものである。
【００１９】
本実施形態の真贋判定システム１について説明する。
図１は、真贋判定システム１の全体構成を例示する図である。
図１に例示するように、真贋判定システム１は、ユーザ端末３、真贋判定装置５を有し、ネットワークを介して互いに接続している。
ユーザ端末３は、ユーザが操作する写真撮影可能な携帯型コンピュータ端末である。本例において、ユーザ端末３は、スマートフォン、スマートウォッチ、又は、タブレット型情報端末等である。ユーザ端末３は、商品に付された識別画像７を異なる条件で複数回撮影し、撮影画像を真贋判定装置５に送信する。
真贋判定装置５は、ユーザ端末３により送信された画像に基づいて、識別画像７が付された商品の真贋を判定し、ユーザ端末３に結果を送信する。また、真贋判定装置５は、真贋判定の実施に基づいてメーカーに課金を行い、さらに受信した画像と真贋判定結果とに基づいた、商品に関するマーケティング情報をメーカーへ送信する。
【００２０】
図２は、商品に付されている識別画像７を例示する図である。
図２に例示するように、識別画像７は、商品の製品情報が掲載されるウェブサイトまたはサーバ上のデータベースヘ接続する二次元コードである。識別画像７は、二次元コードの一部の領域または周辺部に再帰反射性微粒子が埋め込まれている。具体的には、識別画像７は、二次元コード７０と絵柄領域７２とを有し、絵柄領域７２には、再帰反射性微粒子が埋め込まれており、再帰反射した時、すなわち可視光を照射した状態した場合に再帰反射に特定の色を発色、または明るく浮き上がるよう表示される。図２に例示するように、識別画像７は、フラッシュをオフの状態で撮影された場合に、二次元コードのみが視認でき、フラッシュをオンの状態で撮影された場合に、絵柄領域７２の絵柄が発色または浮き上がって視認される。また、図２（ｂ）に例示するように、識別画像７は、絵柄領域７２を二次元コード７０の周辺部に有してもよく、二次元コード７０と絵柄領域７２とが重ならないよう構成されてもよい。
【００２１】
例えば、図２（ａ）に例示する識別画像７における絵柄領域７２は、二次元コード７０の上に、再帰反射性インク（特開２０１７−１６０３１に開示の塗料）で絵柄を描いて形成される。また、図２（ｂ）に例示する識別画像７における絵柄領域７２は、二次元コード７０に重ならないよう、二次元コードの周辺部に再帰反射性インク（特開２０１７−１６０３１に開示の塗料）で絵柄を描いて形成される。再帰反射性インクとは、ガラスビーズと、反射性樹脂材とを含み構成されているインク又は塗料である。また、絵柄領域７２は、二次元コードの読み取りを妨げない。すなわち、識別画像７は、製品情報のウェブサイトまたはサーバ上のデータベースへのリンク情報と再帰反射性インクによる絵柄との２種類の情報を示すことができる。
さらに、二次元コードだけでは偽造される虞があるが、識別画像７は、特殊な再帰反射性インクを使用しているため、偽造の難易度が高く、より安全性の高い二次元コードとなる。
【００２２】
図３は、ユーザ端末３の機能構成を例示する図である。
図３に例示するように、本例のユーザ端末３には、画像撮影プログラム３０がインストールされる。なお、画像撮影プログラム３０の一部又は全部は、ＡＳＩＣなどのハードウェアにより実現されてもよく、また、ＯＳ（Ｏｐｅｒａｔｉｎｇ Ｓｙｓｔｅｍ）の機能を一部借用して実現されてもよい。また、ＣＤ−ＲＯＭなどの記録媒体を介して、ユーザ端末３にインストールされてもよいし、アプリケーションとしてインストールされてもよい。
画像撮影プログラム３０は、撮影部３００、光照射部３０２、出力部３０４、登録部３０６、送信部３０８、及び受信部３１０を有する。
【００２３】
撮影部３００は、商品に付された識別画像を撮影する。具体的には、撮影部３００は、光照射部３０２（後述）により可視光を照射せずに、識別画像７を撮影する。可視光を照射せずに撮影された識別画像が第１の識別画像である。
また、撮影部３００は、光照射部３０２により可視光を照射して、識別画像７を撮影する。可視光を照射して撮影された識別画像が第２の識別画像である。第１の識別画像及び第２の識別画像は、撮影場所の位置情報が関連付けられている。
【００２４】
光照射部３０２は、撮影部３００により撮影する方向に可視光を照射する。光照射部３０２は、出力部３０４（後述）の出力する信号により可視光の照射を行う。
出力部３０４は、第２の識別画像の撮影を促す情報を出力する。具体的には、出力部３０４は、ユーザ端末３のフラッシュをオンにする制御信号の出力を行い、自動的に第２の識別画像を撮影できる状態にする。または、出力部３０４は、可視光を照射した状態、つまり、フラッシュをオンにした状態で識別画像７を撮影するよう促すメッセージ情報を出力し、ユーザ端末３の画面に表示してもよい。
【００２５】
登録部３０６は、ユーザの情報を撮影画像に関連付けてユーザ情報ＤＢ４００に登録する。ユーザ情報とは、年齢、性別、地域等である。さらに、ユーザ情報ＤＢ４００は、真贋判定システム１における、商品に対するユーザが書き込んだ口コミ、ユーザによる掲示板への投稿内容、ユーザがお気に入り登録したブランド、メーカー等の情報を保持する。
ユーザ情報ＤＢ４００に格納される情報は、真贋判定装置５で管理してもよい。
【００２６】
送信部３０８は、第１の識別画像及び第２の識別画像を真贋判定装置５に送信する。
受信部３１０は、真贋判定装置５により送信される商品の製品情報及び真贋判定結果を受信し、ユーザ端末３の画面に表示する。
【００２７】
図４は、真贋判定装置５の機能構成を例示する図である。
図４に例示するように、本例の真贋判定装置５には、真贋判定プログラム５０がインストールされると共に画像情報ＤＢ６００が構成される。なお、真贋判定プログラム５０の一部又は全部は、ＡＳＩＣなどのハードウェアにより実現されてもよく、また、ＯＳ（Ｏｐｅｒａｔｉｎｇ Ｓｙｓｔｅｍ）の機能を一部借用して実現されてもよい。また、ＣＤ−ＲＯＭなどの記録媒体を介して、真贋判定装置５にインストールされてもよいし、アプリケーションとしてインストールされてもよい。
画像撮影プログラム５０は、画像取得部５００、解析部５０２、商品判定部５０４、再帰反射判定部５０６、真贋判定部５０８、課金部５１０、位置情報収集部５１２、集計部５１４、信用度評価部５１６、及び送信部５１８を有する。
【００２８】
画像取得部５００は、ユーザ端末３により撮影された第１の識別画像及び第２の識別画像を取得する。
解析部５０２は、光照射部３０２により可視光を照射されていない状態で撮影された二次元コード、すなわち第２の識別画像に基づいて、ウェブサイトまたはサーバ上のデータベースに接続するための情報を読みとる。解析部５０２は、読み取った接続情報に基づいて、商品の製品情報を取得し、ユーザ端末３に送信する。
商品判定部５０４は、送信した製品情報と商品とが一致したか否かの結果をユーザ端末３より受信する。
【００２９】
再帰反射判定部５０６は、第２の識別画像の一部が再帰反射しているか否かを判定する。具体的には、再帰反射判定部５０６は、第１の識別画像と第２の識別画像との色を比較し、色の変化の度合いに基づいて、再帰反射しているか否かを判定する。再帰反射判定部５０６は、第１の識別画像と第２の識別画像とを比較した結果、一部の領域の色の変化の度合いが既定値以上である場合に、商品が真正品であると判定する。
【００３０】
真贋判定部５０８は、第１の識別画像及び第２の識別画像に基づいて商品の真贋を判定する。具体的には、真贋判定部５０８は、解析部５０２により読み取られた情報と、再帰反射判定部５０６により判定された結果とに基づいて、商品の真贋を判定する。より具体的には、商品判定部５０４により製品情報が商品と一致したとの通知を受信し、且つ再帰反射判定部５０６により再帰反射していると判定された場合に商品を真正品であると判定する。
【００３１】
課金部５１０は、真贋判定部５０８により真贋判定がなされたことに基づいて、商品のメーカーに課金する。具体的には、集計部５１４（後述）の集計結果に基づいて、課金する。
位置情報収集部５１２は、第１の識別画像または第２の識別画像に関連付けられている撮影時の位置情報を収集する。その他に、位置情報収集部５１２は、第１の識別画像または第２の識別画像に関連付けられるユーザ情報を収集する。
集計部５１４は、位置情報収集部５１２により収集された位置情報と、真贋判定部５０８による判定結果とを関連付けて集計する。これにより、実店舗で真贋判定を行った場合、偽造品を扱っている店舗を特定することができる。また、集計部５１４は、電子商取引において、消費者が商品購入後に到着した商品の真贋判定を行う真贋判定部５０８による判定結果とその判定過程で得られた消費者の性別、年齢、地域情報等の情報を関連付けて集計する。メーカーにとって以上のような消費者情報は、購買行動を分析するにあたり非常に有益な情報である。また購入した商品が偽造品だった場合、消費者からメーカーへ直接問い合わせをするケースも想定され、メーカーにとっては偽造品の販売元または製造元を特定でき、偽造品流通防止への対策を有効的に打つことができる。
【００３２】
信用度評価部５１６は、集計部５１４により集計された店舗情報とその店舗において取り扱っている商品の真贋判定結果に基づいて店舗の信用度を評価値として算出する。
送信部５１８は、集計部５１４により集計された集計結果、信用度評価部５１６により算出された店舗の評価値を商品に関連付けられるメーカーに送信する。送信部５１８は、位置情報と真贋判定結果とに、位置情報収集部５１２により収集されたユーザ情報を関連付けて送信してもよい。これにより、メーカーは、位置情報と真贋判定結果とユーザ情報とをマーケティングツールとして活用することができる。他にも、メーカーは、宣伝広告、及びクーポン配信を、真贋判定システム１を通して配信することが可能であり、リコール情報、生産終了のお知らせをユーザに配信することができる。さらに、メーカーは、商品のリコール事案の場合に、通常であれば新聞広告などを打つ等膨大な経費が掛かるが、真贋判定システム１を通して効率よくユーザに情報発信することも可能である。
【００３３】
図５は、真贋判定システム１における真贋判定処理（Ｓ１０）を説明するフローチャートである。
図５に例示するように、ステップ１００（Ｓ１００）において、画像取得部５００は、ユーザ端末３より第１の識別画像を受信する。
ステップ１０５（Ｓ１０５）において、解析部５０２は、第１の識別画像を解析し、商品の製品情報が掲載されるウェブサイトまたはサーバ上のデータベースへのリンクを読み取る。解析部５０２は、解読み取ったウェブサイトまたはサーバ上のデータベースに接続し、商品の製品情報を取得する。
ステップ１１０（Ｓ１１０）において、解析部５０２は、取得した製品情報をユーザ端末３に送信する。
ステップ１１５（Ｓ１１５）において、商品判定部５０４により商品と送信した製品情報とが一致したとの情報を受信した場合は、真贋判定プログラム５０は、Ｓ１２０へ移行し、商品判定部５０４により商品と送信した製品情報とが一致していないとの情報を受信した場合は、真贋判定プログラム５０は、Ｓ１４０へ移行する。
ステップ１２０（Ｓ１２０）において、画像取得部５００は、ユーザ端末３より第２の識別画像を取得する。
ステップ１２５（Ｓ１２５）において、再帰反射判定部５０６は、第１の識別画像と第２の識別画像とを比較し、再帰反射判定部５０６により特定の領域の色の変化の度合いが既定値以上であると判定された場合に、真贋判定プログラム５０は、Ｓ１３０に移行し、再帰反射判定部５０６により既定値以下であると判定された場合に、Ｓ１４０へ移行する。
ステップ１３０（Ｓ１３０）において、真贋判定部５０８は、製品情報と商品とが合致したこと、及び第２の識別画像が再帰反射していることから商品を真正品であると判定し、結果をユーザ端末３に送信する。
ステップ１３５（Ｓ１３５）において、課金部５１０は、商品に関連付けられるメーカーへ課金を行う。
ステップ１４０（Ｓ１４０）において、真贋判定部５０８は、商品が偽造品であると判定し、結果をユーザ端末３に送信する。
【００３４】
図６は、真贋判定システム１におけるマーケティング情報生成処理（Ｓ２０）を説明するフローチャートである。
図６に例示するように、ステップ２００（Ｓ２００）において、画像取得部５００は、ユーザ端末３から第１の識別画像及び第２の識別画像を受信する。
ステップ２０５（Ｓ２０５）において、位置情報収集部５１２は、第１の識別画像または第２の識別画像に関連付けられている、ユーザが識別画像７を撮影した位置情報、及びユーザ情報を収集する
ステップ２１０（Ｓ２１０）において、位置情報収集部５１２は、収集した位置情報を、商品と真贋判定結果とに関連付けてユーザ情報と共に画像情報ＤＢ６００に格納する。
ステップ２１５（Ｓ２１５）において、集計部５１４は、撮影位置における店舗の商品毎の真贋判定結果を集計する。具体的には、位置情報から商品を扱う店舗を特定し、特定した店の商品毎に真贋判定数、偽造品の商品数、真贋判定後の購入数等を集計する。これにより、どの店舗のどの商品に偽造品が多いかを特定することができる。
ステップ２２０（Ｓ２２０）において、信用度評価部５１６は、集計部５１４により集計された店舗毎の集計結果に基づいて店舗の信用度を評価する。例えば、真贋判定数に対する偽造品の商品数の割合を求め、これに基づいて各店舗の信用度を評価値として表す。
ステップ２２５（Ｓ２２５）において、送信部５１８は、集計部５１４による集計結果、店舗の評価値、及び受信した各画像に関連付けられたユーザ情報等を商品に関連付けられたメーカーへ送信する。
【００３５】
図７は、真贋判定システム１におけるユーザの操作とユーザ端末３の画面を例示する図である。
図７に例示するように、ユーザは、ユーザ端末３において真贋判定システム１のアプリケーションを立ち上げる。出力部３０４により、画面に第１の識別画像の撮影を促す表示がされ、ユーザは、表示に従い、商品に付された識別画像７を、フラッシュをオフの状態で撮影する。
続いて、ユーザは、解析部５０２により送信された製品情報と商品とが合致しているか否かの情報を送信する。合致している場合は、出力部３０４により、画面に第２の識別画像の撮影を促す表示がされ、ユーザは、表示に従い、商品に付された識別画像７を、フラッシュをオンの状態で撮影する。
真贋判定部５０８は、第１の識別画像及び第２の識別画像に基づいて商品の真贋判定を行い、判定結果が画面に表示される。
このように、真贋判定システム１によれば、ユーザが画面に表示される案内に従うだけで、複数回の真贋判定を可能にする。
【００３６】
図８は、ホログラムと識別画像７との真贋判定方法の比較を表す図である。
図８に例示するように、真贋判定にホログラムを用いた場合、ユーザは、商品にホログラムが付されているか否かにより真贋を判定する。さらに、ホログラムが付いている場合は、ユーザ自身が傾けて色の変化があるか、模様が存在するかにより真贋を判定する。そして、色は何色に変化したのか、模様は何であったか等の詳細を真正品と比較してはじめて真正品と認定される。
一方で、識別画像７の場合は、ユーザは、二次元コードが付されているか否か、二次元コードに基づいて取得された製品情報と実物とが一致しているか否か、二次元コードの手触りが再帰反射性インクのガラスビーズによりざらついているか否か、フラッシュ撮影で色の変化があるか否か、及び真贋判定システム１により真正品と認証されたか否かにより真贋判定が行われる。
すなわち、ホログラムと比べて識別画像７は、確認項目が多く、さらに、ユーザだけでなく、真贋判定システム１により真贋の判定がなされるため、より確度の高い判定結果を得ることができる。また、ホログラムは、フラッシュをつけて撮影したホログラムの画像全てにおいての色合いを同じにすることは困難であり、色合いが異なるとシステムでは真正品認証が難しくなる。一方で、識別画像７は、ホログラムのように僅かな傾きの変化により色が異なることはないため、システムによる色の判別が可能である。
【００３７】
図９は、真贋判定システム１の全体の流れを例示する図である。
図９に例示するように、ユーザは、ユーザ端末３において真贋判定システム１のアプリケーションを立ち上げ、商品に付された識別画像７を、フラッシュをオフの状態で撮影する。撮影された第１の識別画像（二次元コード）は、ユーザ端末３から真贋判定装置５に送信される。真贋判定装置５は、二次元コードを解析し、製品情報のウェブサイトまたはサーバ上のデータベースへ接続し、製品情報を取得しユーザ端末３に送信する。１回目の真贋判定として、ユーザは送信された製品情報と商品とを比較し、合致しているか否かを真贋判定装置５に送信する。製品情報と商品とが合致していた場合に、ユーザ端末３は、第２の識別画像の撮影を促す。ユーザはフラッシュをオンの状態で識別画像７を撮影する。撮影された第２の識別画像（再帰反射した絵柄）は、ユーザ端末３から真贋判定装置５に送信される。２回目の真贋判定として、真贋判定装置５は、第２の識別画像が第１の識別画像と比べて特定の領域の色の変化度合いが既定値以上である場合に、商品が真正品であるとの判定を行い、ユーザ端末３に通知する。第１の識別画像または第２の識別画像に基づいて取得された商品を売る店舗の位置情報は、真贋判定結果と共に真贋判定システム１のサービスを提供者へ送信され、メーカーへと通知される。これにより、偽造品の商品を扱う店舗に対して是正を行うことができる。
【００３８】
以上説明したように、真贋判定システム１は、識別画像７を異なる条件において撮影し、１つの識別画像に基づいて複数回の真贋判定を行うことでより確度の高い真贋判定を可能にする。さらに、識別画像７は偽造難易度の高い再帰反射性インクを用いて絵柄が描かれているため、既存技術を用いた二次元コードよりも偽造が困難である。
【００３９】
上記実施形態では、識別画像７が２次元コードを有する場合を説明したが、これに限定されず、例えば、識別画像７は、バーコード、または企業ロゴを有し、これらに再帰反射性インク等で絵柄や文字列をつけたものでもよい。
【００４０】
上記実施形態では、第１の識別画像をユーザ端末３が真贋判定装置５に送信し、真贋判定装置５により製品情報の掲載されるウェブサイトまたはサーバ上のデータベースへ接続し、製品情報を取得していたが、これに限定されず、解析部５０２は、ユーザ端末３に構成されてもよい。具体的には、ユーザ端末３は、第１の識別画像を撮影し、二次元コードを読み取り、読み取った情報を真贋判定装置５に送信してもよい。この場合、真贋判定装置５は、二次元コードに対応する画像を保持しており、再帰反射判定部５０６は、二次元コードに対応する画像と第２の識別画像とを比較して、再帰反射しているか否かを判定する。
【符号の説明】
【００４１】
１…真贋判定システム
３…ユーザ端末
５…真贋判定装置
７…識別画像
【図１】
2020067803.tif 000003
【図２】
2020067803.tif 000004
【図３】
2020067803.tif 000005
【図４】
2020067803.tif 000006
【図５】
2020067803.tif 000007
【図６】
2020067803.tif 000008
【図７】
2020067803.tif 000009
【図８】
2020067803.tif 000010
【図９】
2020067803.tif 000011